(57)【特許請求の範囲】
【請求項１】
筒状の発熱体と当該発熱体の内部を貫通する液体の流路と当該発熱体の周面に巻回した励磁コイルと当該コイルが露出しないように当該発熱体を被覆する被覆体とを有してなる液体加熱装置を貯液容体内に該貯液容体内の液体に浸漬するように配設してなり、当該コイルに交番電力を印加することによりその電磁誘導作用で当該発熱体を加熱して前記流路内の液体を加熱することができる電磁誘導液体加熱装置と、暖房用放熱器とを備えてなり、当該電磁誘導液体加熱装置と該暖房用放熱器とを接続して、当該電磁誘導液体加熱装置から循環供給された加熱液体により当該暖房用放熱器で自然対流又は放射により暖房を行うようにしてなることを特徴とする暖房装置。
【請求項２】
筒状の発熱体が、金属製の筒体の内部に加熱により発熱する発熱剤を内蔵させてなることを特徴とする、請求項１に記載の暖房装置。
【請求項３】
液体の流路が、筒状の発熱体の中心部を上下に貫通して設けられてなることを特徴とする、請求項１又は２に記載の暖房装置。
【請求項４】
液体が、不凍液により構成されてなることを特徴とする、請求項１〜３いずれか一項に記載の暖房装置。
【請求項５】
被覆体が、非磁性金属で形成されてなることを特徴とする、請求項１〜４いずれか一項に記載の暖房装置。
【請求項６】
筒状の発熱体と当該発熱体の内部を貫通する液体の流路と当該発熱体の周面に巻回した励磁コイルと当該コイルが露出しないように当該発熱体を被覆する被覆体とを有してなる液体加熱装置を貯液容体内に該貯液容体内の液体に浸漬するように配設してなり、当該コイルに交番電力を印加することによりその電磁誘導作用で当該発熱体を加熱して前記流路内の液体を加熱することができる電磁誘導液体加熱装置と暖房を必要とする部位又は設備とを接続して、当該電磁誘導液体加熱装置から循環供給された加熱液体により該暖房を必要とする部位又は設備の暖房を行うようにしてなることを特徴とする暖房装置。
【発明の詳細な説明】
【技術分野】
【０００１】
本発明は、暖房装置、特に、電磁誘導加熱による暖房装置に関するものである。
【背景技術】
【０００２】
従来、暖房装置に具備せしめられる加熱装置としては、重油等の燃料を燃焼した熱で、水を加熱するボイラが一般的に用いられてきた。
一方、暖房装置に具備せしめられる加熱装置として、電磁誘導作用により生じた熱で、水を加熱するように構成された電磁誘導加熱装置も提案されている（例えば、特開２００１−２６３８１０号公報）。
この従来例は、水が流通するパイプの内側に電磁誘導により発熱する鉄板からなる昇温器を配設し、当該パイプの外側にコイルを巻いて通電することによって、パイプ内に設けた当該昇温器を電磁誘導加熱して、パイプ内を通過する水を加熱するように構成されたものであり、前述した燃料を用いた加熱装置に比し、温度設定などの制御面に秀れるのは勿論、コスト面や環境面においても秀れたものとされている。
しかるに、この従来例は、前述のように水が流通するパイプの内側に電磁誘導加熱し得る鉄板からなる昇温器を設けて、パイブの外側に電線を巻き回してワ−クコイル（ソレノイドコイル）を形成して、専らパイプ内を流れる水を加熱する構成であるため、例えぱ、パイプに伝わった熱が外気中に逃げてしまうだけでなく、電線で発生した熱もまた外気中に逃げてしまう為、熱損失が大きく熱効率が低いものであった。
従って、当該電磁誘導加熱の加熱装置を用いた暖房の熱効率も低いものであった。
【発明の開示】
【発明が解決しようとする課題】
【０００３】
本発明は、上記のような従来技術の欠点を解消できる技術を提供することを目的としたものである。
本発明の他の目的および新規な特徴は以下の明細書及び図面の記載からも明らかになるであろう。
【課題を解決するための手段】
【０００４】
本発明の特許請求の範囲は、次の通りである。
（請求項１）  筒状の発熱体と当該発熱体の内部を貫通する液体の流路と当該発熱体の周面に巻回した励磁コイルと当該コイルが露出しないように当該発熱体を被覆する被覆体とを有してなる液体加熱装置を貯液容体内に該貯液容体内の液体に浸漬するように配設してなり、当該コイルに交番電力を印加することによりその電磁誘導作用で当該発熱体を加熱して前記流路内の液体を加熱することができる電磁誘導液体加熱装置と、暖房用放熱器とを備えてなり、当該電磁誘導液体加熱装置と該暖房用放熱器とを接続して、当該電磁誘導液体加熱装置から循環供給された加熱液体により当該暖房用放熱器で自然対流又は放射により暖房を行うようにしてなることを特徴とする暖房装置。
（請求項２）  筒状の発熱体が、金属製の筒体の内部に加熱により発熱する発熱剤を内蔵させてなることを特徴とする、請求項１に記載の暖房装置。
（請求項３）  液体の流路が、筒状の発熱体の中心部を上下に貫通して設けられてなることを特徴とする、請求項１又は２に記載の暖房装置。
（請求項４）  液体が、不凍液により構成されてなることを特徴とする、請求項１〜３いずれか一項に記載の暖房装置。
（請求項５）  被覆体が、非磁性金属で形成されてなることを特徴とする、請求項１〜４いずれか一項に記載の暖房装置。
（請求項６）  筒状の発熱体と当該発熱体の内部を貫通する液体の流路と当該発熱体の周面に巻回した励磁コイルと当該コイルが露出しないように当該発熱体を被覆する被覆体とを有してなる液体加熱装置を貯液容体内に該貯液容体内の液体に浸漬するように配設してなり、当該コイルに交番電力を印加することによりその電磁誘導作用で当該発熱体を加熱して前記流路内の液体を加熱することができる電磁誘導液体加熱装置と暖房を必要とする部位又は設備とを接続して、当該電磁誘導液体加熱装置から循環供給された加熱液体により該暖房を必要とする部位又は設備の暖房を行うようにしてなることを特徴とする暖房装置。
【発明の効果】
【０００５】
本願において開示される発明のうち代表的なものによって得られる効果を簡単に説明すれば、下記のとおりである。
すなわち、本発明によれば、請求項１に記載の発明において、暖房装置に具備せしめられる液体の加熱装置を上記のような電磁誘導液体加熱装置にて構成し、筒状の発熱体の内部を貫通して液体の流路を設け、当該発熱体の外部ではなく、内部で加熱するようにしたので、その液体の加熱上昇が高速で行われ、液体が短時間に高温になり、当該液体は、その細菌やウイルスを死滅させ易く、又、当該液流路を通過した液体は、その分子レベルが小さくなり、分子レベルの小さいナノレベルのものとなり易い。
本発明の加熱装置は、液体の入った貯液容体に浸漬されており、無駄な熱の散逸は殆どなく、電磁誘導により筒状の発熱体が発生した熱のみならず励磁コイル自体から発生した熱も無駄にすることなく液体の加熱に利用できる。その為、極めて効率的に加熱でき、信頼性に秀れる実用的な電磁誘導液体加熱装置にすることができ、当該電磁誘導加熱装置と接続した暖房用放熱器を介して、当該電磁誘導液体加熱装置により循環供給された加熟液体により、効率的な暖房を行うことができる。
又、本発明の電磁誘導液体加熱装置における加熱装置では、その交番電力が印加される励磁コイルは被覆体で被覆されており、励磁コイルが貯液容体内の液体に曝されるのを防止できることになり、よって、励磁コイルが破損（腐食し断線する等）することを低減でき、信頼性を増すことができる。
請求項２に記載の発明においては、筒状の発熱体を、金属製の筒体の内部に加熱により発熱する発熱剤を内蔵させてなり、電磁誘導により、５００℃以上、好ましくは６００℃〜９００℃といった高温域の所望の温度に発熱させることができる。特に、当該発熱剤として固化した塊状のものを使用すれば、当該発熱剤による液体の加熱効率を向上させることができる。
請求項３に記載の発明においては、液体の流路を、筒状の発熱体の中心部を上下に貫通して設けてなるので、当該発熱剤の発熱と当該発熱剤を内蔵している金属製の筒体の発熱が良好に行われ、より一層液体の加熱上昇が高速で行われ、液体が短時間に高温になり、当該液体は、その細菌やウイルスを死滅させ易く、又、当該液流路を通過した液体は、その分子レベルが小さくなり、分子レベルの小さいナノレベルのものとすることができ、より一層効率的な暖房を行うことができる。
請求項４に記載の発明においては、液体を不凍液で構成するようにしたので、寒冷地での暖房でも、凍結せず、暖房が良好に行われる。
請求項５に記載の発明においては、被覆体を非磁性金属で形成することにより、電磁誘導による発熱を効率的に行うことができると共に、電線の断線や腐食などを低減できて一層信頼性に秀れた電磁誘導液体加熱装置延いては暖房装置となし得る
又、請求項６に記載の発明においては、暖房用放熱器を介さずに、直接、電磁誘導液体加熱装置と暖房を必要とする部位又は設備とを接続して、当該電磁誘導液体加熱装置により循環供給された加熱液体により該暖房を必要とする部位又は設備の暖房を行うので、設備費も安く済み、保守管理も容易な実用的な暖房装置となし得る。
【０００６】
次に、本発明の実施例を図面を参照しつつ説明する。
【実施例】
【０００７】
本発明の暖房装置Ｈにおける電磁誘導液体加熱装置Ｅは、図１及び図２に示すように、当該電磁誘導液体加熱装置Ｅを構成する加熱装置１が貯液容体２内の液体Ｗの中に設けられ、当該液体Ｗ中に浸漬されている。
当該液体Ｗは、当該当該貯液容体２は、筒体、例えば、円筒状に構成されている。当該貯液容体２は、液体Ｗの温度低下を防止する等の観点から断熱性を有していることが好ましい。
当該液体は、水でもよいが、寒冷地での暖房などを考慮すると、不凍液が好ましい。又、本発明の暖房装置には、不凍液の使用が適している。当該不凍液としては特に限定されず、例えば、エチレングリコ−ル、プロピレングリコ−ル等が挙げられ、又、当該エチレングリコ−ル、プロピレングリコ−ル等を主成分として水で希釈したものに防錆剤等を添加したもの等が挙げられる。
【０００８】
電磁誘導液体加熱装置Ｅにおける加熱装置１は、図２に示すように、筒状の発熱体１００の内部を貫通して液体の流路１０１が設けられている。当該液体の流路１０１は、例えば、パイプにより構成されている。図示のように、当該液体の流路１０１は、筒状の発熱体１００の中心部を上下に貫通して設けられてなることが、当該流路１０１内部を流れる液体Ｗの加熱効率の面などから好ましい。当該流路１０１内部を流れる液体Ｗと前記の貯液容体２内の液体Ｗとは、通常は、同じものが使用される。
当該筒状の発熱体１００は、金属製の筒体１０００の内部に、加熱により発熱する発熱剤１００１を内蔵させてなる。
当該加熱装置１は、その内側から外方に向かって、液体のパイプ流路１０１、加熱により発熱する発熱剤層１００１、金属製の筒体１０００とを有してなる。
当該発熱剤１００１は、電磁誘導により、５００℃以上、好ましくは６００℃〜９００℃といった高温域の所望の温度に発熱させることができる電磁誘導型発熱剤が用いられ、例えば、金属やカ−ボン等の磁性材により構成することができ、具体的には、例えば、金属粒子と固形材（ガラス、セラミック、セメントなど）との混練物を固化したもの、若しくは、金属線の線材や金属廃材を裁断して上記と同様の固形材で固化したものが挙げられる。当該発熱剤１００１は、固化した塊状で、図示のように、金属製の筒体１０００の内部に多数充填される。
当該筒状の発熱体１００を構成する金属製の筒体１０００は、銅などの反磁性金属若しくはアルミニウムなどの常磁性金属も採用できるが、非磁性系の金属（合金）であることが、電磁誘導発熱性能を劣化させずに錆を防止し得る等の利点があり、好ましい。尚、ここに、非磁性とは、強磁性を含まず、反磁性若しくは常磁性を意味している。
当該金属製の筒体１０００例えば非磁性系ステンレスにより構成された筒体１０００の周面に、熱伝導を阻害せず、しかも、耐熱性に秀れた電気絶縁体１０２を巻回し、当該電気絶縁体１０２の上から励磁コイル（電線）１０３として例えばエナメル線を螺旋状に巻回してソレノイド体１０４を形成し、当該ソレノイド体１０４の両端部から前記励磁コイル１０３を引き出しする。
図２に示すように、当該コイル１０３が露出しないように当該発熱体１００を被覆体１０５で被覆する。
当該被覆体１０５は、上記の金属製の筒体１０００と同様に、非磁性系の金属（合金）により構成することが、電磁誘導発熱性能を劣化させずに錆を防止し得る等の利点があり、好ましい。
当該被覆体１０５は、例えば、筒体に構成され、非磁性系の金属（合金）例えば非磁性系ステンレスにより構成される。
本発明の電磁誘導液体加熱装置Ｅにおけるその加熱装置１は、図１及び図２に示すように、筒状の発熱体１００と当該発熱体１００の内部を貫通する液体の流路１０１と当該発熱体１００の周面に巻回した励磁コイル１０３と当該コイル１０３が露出しないように当該発熱体１００を被覆する被覆体１０５とを有してなる。
【０００９】
本発明の電磁誘導液体加熱装置Ｅでは、図１及び図２に示すように、その加熱装置１が貯液容体２内の液体Ｗの中に設けられ、当該液体Ｗ中に浸漬されている。
励磁コイル１０３を有するソレノイド体１０４は、被覆体１０５により被覆密閉されて、当該液体加熱装置１を、貯液容体２内に、当該貯液容体２内の液体Ｗに浸漬するように配設することから保護されている
当該加熱装置１を、液体Ｗの入った貯液容体２に浸漬することにより、無駄な熱の散逸が防止され、電磁誘導により発生した熱が無駄なく液体Ｗの加熱に利用できる。
【００１０】
図１及び図２に示すように、貯液容体２の上部には、液体Ｗの受液口２００が設けられ、当該受液口２００から供された液体Ｗは、下方向から筒状の発熱体１００の内部を貫通して設けられた液体の流路１０１を上方向に流れ、貯液容体２の上部中央の送液口２０１から送出される。
当該貯液容体２の受液口２００から供された液体Ｗは、図示のように、貯液容体２の下部に供され、当該流路１０１中を流れると共に、当該貯液容体２に貯留する。
【００１１】
図１及び図２に示すように、電磁誘導加熱装置Ｅにおいて、加熱装置１の励磁コイル１０３から引出された引出線１０６が電力給電線１０７に電気的に接続され、当該電磁誘導加熱装置Ｅにおける加熱装置１の励磁コイル１０３に交番電カが印加されると、当該交番磁界内におかれた当該筒状の発熱体１００は、当該誘導加熱による誘導電流損とヒシテリシス損などによって加熱され、当該筒状の発熱体１００における金属製の筒体１０００が発熱し又当該金属製の筒体１０００の内部の発熱剤１００１が加熱により例えば８００℃程度に発熱し、貯液容体２の液体Ｗの受液口２００から供された流路１０１内の液体Ｗを加熱することができる。
【００１２】
本発明の電磁誘導加熱装置Ｅにおいては、筒状の発熱体１００の内部を貫通して液体の流路１０１が設けられており、当該発熱体１００の外部ではなく、内部で加熱されるので、その液体の温度上昇が高速で行われ、液体が短時間に高温になり、当該液体は、その細菌やウイルスを死滅させ易く、又、当該液流路１０１を通過した液体は、その分子レベルが小さくなり、分子レベルの小さいナノレベルのものとなり易い。
当該筒状の発熱体１００は、金属製の筒体１０００の内部に、加熱により発熱する発熱剤１００１を内蔵させてなり、電磁誘導により、５００℃以上、好ましくは６００℃〜９００℃といった高温域の所望の温度に発熱させることができる。当該発熱剤１００１として粉粒条の電磁誘導発熱物質（材料）を固化した塊状のものを使用すれば、当該発熱剤１００１による液体Ｗの加熱効率を向上させることができる。
本発明の加熱装置１は、液体Ｗの入った貯液容体２に浸漬されており、無駄な熱の散逸が殆どなく、電磁誘導により筒状の発熱体１００が発生した熱のみならず励磁コイル１０３自体から発生した熱も無駄にすることなく液体Ｗの加熱に利用できる。
又、本発明の電磁誘導液体加熱装置Ｅにおける加熱装置１では、その交番電力が印加される励磁コイル１０３は被覆体１０５で被覆されており、励磁コイル１０３が液体Ｗに曝されるのを防止できることになり、よって、例えば、励磁コイル１０３が破損（腐食し断線する等）することを低減でき、信頼性を増すことができる。
本発明の電磁誘導液体加熱装置Ｅによれば、上記のように、励磁コイル１０３の自己発熱および筒状の発熱体１００の電磁誘導発熱による熱の殆んどが液体Ｗの加熱に使われ、極めて熱効率が高く、しかも、励磁コイル１０３の破損を可及的に防止でき極めて信頼性に秀れた加熟装置になる。
更に、例えぱ、当該筒状の発熱体１００における筒体１０００を非磁性系の金属（合金）により構成すると、電磁誘導発熱性能を劣化させずに錆を防止し得る等の利点がある。
【００１３】
本発明の電磁誘導液体加熱装置Ｅについて、更に、図３及び図４に基づいて説明する。
図３に示すように、当該電磁誘導液体加熱装置Ｅにおける加熱装置１は、筒状の発熱体１００と当該発熱体１００の内部を貫通する液体の流路１０１と被覆体１０５とを有してなり、図示のように、当該筒状の発熱体１００の筒体１０００と当該発熱体１００の内部を貫通する液体の流路１０１と被覆体１０５とは、共に円筒形に構成され同心円条に配設されている。当該加熱装置１は、円筒形に構成された貯液容体２に浸漬されている。
図３に示すように、当該電磁誘導液体加熱装置Ｅは、その内側から外方に向かって、パイプにより構成された液体の流路１０１、加熱により発熱する発熱剤層１００１、金属製の筒体１０００、励磁コイル１０３、被覆体１０５及び液体Ｗを有する貯液容体２を備えて構成されている。尚、図３では、電気絶縁体１０２の図示を省略している。
図４に示すように、当該電磁誘導液体加熱装置Ｅは、ポンプ装置３ａを備え、後述のように、当該電磁誘導液体加熱装置Ｅから送出されて暖房に使用された加熱液体（熱媒）を、当該ポンプ装置３ａにより循環供給することができる。
図４に示すように、当該加熱装置１は、当該貯液容体２の内面の底部に設けたステンレス製の４本の取付脚部２０２に取付られて、当該貯液容体２の底部に立設するように構成されている。当該貯液容体２は、その底部に脚部２０３を設けて自立できるようにしている。
【００１４】
図１に示すように、本発明の暖房装置Ｈの基本的な構成は、上記の電磁誘導液体加熱装置Ｅと暖房用放熱器４とを備えてなる。
図１に示すように、当該電磁誘導液体加熱装置Ｅと暖房用放熱器４とを配管５ａ、５ｂにより接続し、往路管５ａにより電磁誘導加熱された液体Ｗを、暖房用放熱器４に送り込み、当該暖房用放熱器４で自然対流又は放射により暖房を行うようにしてなり、次いで、当該液体Ｗは、当該暖房用放熱器４から復路管５ｂに送出されて、再び、当該電磁誘導液体加熱装置Ｅに帰る。
当該電磁誘導液体加熱装置Ｅと暖房用放熱器４と往路管５ａと復路管５ｂとの間の液体循環路には、上記のように、ポンプ装置３ａ、３ｂを配設して、当該電磁誘導液体加熱装置Ｅと暖房用放熱器４との間で、循環して加熱液体が供給されるようにし、当該循環供給された加熟液体により当該暖房用放熱器４で、暖房を必要とする部位又は設備６の暖房を行うようにすることができる。
当該暖房装置Ｈでは、基本的には、当該電磁誘導液体加熱装置Ｅと暖房用放熱器４と配管５ａ、５ｂを備えていれば足りるが、図１に示すように、制御装置７をポンプ装置３ａ及び液体Ｗの送液口２０１に接続し、当該制御装置７により液体Ｗの受液口２００に送り込まれる液体の流量を制御したり、加熱液体の温度を制御したり、或いは前記加熱装置１において励磁コイル１０３に交番電カを印加する際の電流の制御等を行うようにするとよい。又、室内モニタや室内センサなどの監視装置８を設けて検知・監視などを行うようにするとよい。
又、図５に示すように、当該液量の制御に膨張タンク９を設けたり、液体Ｗ中のエアー抜きに空気抜きバルブ１０を設けたり、図示していないが、アキュムレ−タやリザ−ブタンクなどを設けるようにしてもよい。
【００１５】
暖房用放熱器４は、離れた場所で加熱された媒体を放熱することができる。暖房用放熱器４は、熱の大半を輻射および対流によって放熱する。暖房用放熱器４を用いた自然対流による暖房も可能である。
暖房用の他、保温にも使用でき、本発明の暖房装置Ｈは、当該保温の場合も包含する。  熱源機としての本発明の上記の電磁誘導液体加熱装置Ｅから供給される液体（熱媒）によって、暖房用放熱器４は温められる。水の場合蒸気の供給によっても温められる。
暖房用放熱器４は、熱を外部に放出する装置で、例えば、加熱液体をパイプなどの内部に通して、フィン表面からの放射によって暖房するラジエタ−や熱交換用のフィン付きコイルを内蔵し、空気の対流を発生させ、室内空気を加熱、循環させるコンベクタ−と称されるものを包含する。温水等の加熱液体が一方の端部から供給され、熱の放出に伴い温水等の加熱液体は冷却され他方の端部から排出される。
図６及び図７に基づいて、当該コンベクタ−（パネルコンベクタ−）の一例を説明する。
当該コンベクタ−４は、内蔵した放熱フィン（ひれ）付きのコイル４００と、それを覆うケ−シング４０１とを有してなる。温水等の加熱液体が液入口４０２から内蔵した放熱フィン（ひれ）付きのコイル４００に供給され、熱の放出に伴い冷却された温水等の加熱液体は液出口４０３から排出される。
【００１６】
本発明における暖房を必要とする部位又は設備６には、例えば、床、床下、壁面、窓下、洗面所等が挙げられる。暖房の種類には、例えば、温水を通すなどして暖めた床や壁等の面から放射熱により暖房する方法であるパネルヒ−ティングなどがある。
床の暖房のフロアヒ−ティング（床暖房）は、例えば、建設中において、室内の床下全面に配管を設置し、その後コンクリ−トの層で覆うことにより行うことができる。当該床暖房では、通常、温水が各室の全床面の下を循環する。パイプ・配管・配線は床下に埋め込まれ、室内は穏やかに加熱される。
当該暖房には、暖房用放熱器を床下に設置して、床上室と床下を暖房するようにした床下型暖房装置があり、寒冷地の暖房手段として、暖房用放熱器を床下に設置して、当該放熱器で発生する暖気を循環させて床上室と床下を暖房するようにしたものがある。
【００１７】
図８に基づいて、当該床下型暖房装置の一例について説明する。
床下６００に暖房用放熱器４を設置し、前記と同様にして、当該床下暖房用放熱器４と前記電磁誘導液体加熱装置Ｅとを配管５ａ、５ｂにより接続し、往路管５ａにより当該電磁誘導液体加熱装置Ｅにより電磁誘導加熱された液体Ｗを、当該暖房用放熱器４に送り込み、当該暖房用放熱器４で自然対流又は放射により暖房を行うようにし、次いで、当該液体Ｗを、当該暖房用放熱器４から復路管５ｂに送出して、再び、当該電磁誘導液体加熱装置Ｅに帰るようにする。
当該床下６００と室内６０１とを仕切る床６０２に、暖気を当該室内６０１に流し込むことができる開口部６０３と暖気を当該床下６００に帰還させる開口部６０４とを設け、当該床下暖房用放熱器４からの放射・対流を当該開口部６０３から上昇させて室内を暖め、一方、温度降下した暖気を当該開口部６０４から戻すようにする。
【００１８】
図９は、当該暖房装置を、トイレに設置した例を示す。
当該当該暖房装置では、トイレ６０５に暖房用放熱器４を設置し、前記と同様にして、当該床下暖房用放熱器４と前記電磁誘導液体加熱装置Ｅとを配管５ａ、５ｂにより接続し、往路管５ａにより電磁誘導加熱された液体Ｗを、当該暖房用放熱器４に送り込み、当該暖房用放熱器４で自然対流又は放射により暖房を行うようにし、次いで、当該液体Ｗを、当該暖房用放熱器４から復路管５ｂに送出して、再び、当該電磁誘導液体加熱装置Ｅに帰るようにする。
【００１９】
本発明の上記実施例では、暖房用放熱器４を設置して、当該暖房用放熱器４を介して暖房を行う例を説明したが、当該暖房用放熱器４を介さずに直接暖房を必要とする部位又は設備６を暖房するようにしてもよい。
図１０は、当該実施例を示し、床６０２にパネルパイプ５Ｃを配設し、前記電磁誘導液体加熱装置Ｅから往路管５ａにより加熱された液体Ｗを当該パネルパイプ５Ｃに送り込み、当該パネルパイプ５Ｃにおける暖気の自然対流又は放射により暖房を行うようにし、次いで、当該液体Ｗを、当該パネルパイプ５Ｃから復路管５ｂに送出して、再び、当該電磁誘導液体加熱装置Ｅに帰るようにする。
【００２０】
本発明は上記実施例に限定されず、適宜変更が可能である。、
【産業上の利用可能性】
【００２１】
本発明は、暖房について説明したが、冷暖房に適用してもよいし、上記実施例以外の各種の場合、例えば、窓からの冷気を効果的に遮断するため、暖房用放熱器４を窓の直下に設置とか、タオルをかけて乾燥させるための装置（タオルウォ−マ−）としての役割を兼用するような場合にも適用してもよい。又、本発明は、給湯装置にも適用できる。
【図面の簡単な説明】
【００２２】
【図１】本発明の実施例を示す暖房装置の構成図である。
【図２】本発明の実施例を示す電磁誘導液体加熱装置の構成図である。
【図３】本発明の実施例を示す電磁誘導液体加熱装置の断面図である。
【図４】本発明の実施例を示す電磁誘導液体加熱装置の立体構成図である。
【図５】本発明の他の実施例を示す暖房装置の構成図である。
【図６】本発明の実施例を示す暖房用放熱器の一例外観構成図である。
【図７】（Ａ）同暖房用放熱器の断面図、（Ｂ）同暖房用放熱器の一部断面図である。
【図８】本発明の他の実施例を示す暖房装置の構成図である。
【図９】本発明の更に他の実施例を示す暖房装置の構成図である。
【図１０】本発明の実施例を示す暖房用放熱器を使用しない暖房装置の構成図である。
【符号の説明】
【００２３】
１…加熱装置
２…貯液容体
４…暖房用放熱器
６…暖房を必要とする部位又は設備
１００…筒状の発熱体
１０１…液体の流路
１０２…電気絶縁体
１０３…励磁コイル
１０５…被覆体
１０００…金属製の筒体
１００１…加熱により発熱する発熱剤
Ｅ…電磁誘導液体加熱装置
Ｈ…暖房装置
Ｗ…液体
【図１】
0005521133.tif 000002
【図２】
0005521133.tif 000003
【図３】
0005521133.tif 000004
【図４】
0005521133.tif 000005
【図５】
0005521133.tif 000006
【図６】
0005521133.tif 000007
【図７】
0005521133.tif 000008
【図８】
0005521133.tif 000009
【図９】
0005521133.tif 000010
【図１０】
0005521133.tif 000011